(57)【特許請求の範囲】
【請求項１】
下顎側の石膏歯列模型を装着する下顎フレームの後部に一対の支柱を離間対向状に立設し、かつ上顎側の石膏歯列模型を着脱自在な取付けベースを介して装着する上顎フレームを各支柱間に上下回動可能に軸支してなる咬合器において、上記取付けベースの取付け面から下方に突出する複数の螺子を、取付けベース内に介装した取付けナットを介して装脱自在に内装し、該螺子の突出部分を含めて上記取付け面と石膏歯列模型との間に固定用石膏を充填すると共に、上記取付けナットを介した各螺子の固定用石膏内からの螺退で、石膏歯列模型を固定用石膏とともに取付けベースから離脱するように構成したことを特徴とする咬合器における石膏歯列模型の取付けベース。
【発明の詳細な説明】
【０００１】
【発明の属する技術分野】
本発明は、歯冠修復物あるいは義歯の加工形成に使用される咬合器に係り、特に上顎フレームの取付けベースに固定した上顎側の石膏歯列模型を、機械的な衝撃を与えることなく簡単かつ速やかに取付けベースから取り外すことができ、作業者の負担を軽減しつつ作業効率の向上と精度の高い咬合調整を確保することができる咬合器における石膏歯列模型の取付けベースに関するものである。
【０００２】
【従来の技術】
従来、歯冠修復物、義歯等の加工形成に使用される石膏歯列模型は、患者の上顎または下顎の印象に流動石膏を流し込んで成形され、当該患者の治療歯部位を含む石膏歯列模型とこれに対合する石膏歯列模型を、一対をなす咬合器の下顎および上顎フレームに着脱自在に固定するようになっている。
【０００３】
そして歯冠修復物、義歯の加工形成を実際に行う際には、まず現状の上下石膏歯列模型の咬合状態を確認し、次いで治療歯部位の石膏歯列部分を精密ノコで切除した後に、離脱した治療歯部位の石膏歯列部分に所要の修復物の被冠あるいは義歯の形成を施し、これを再び装着した治療歯部位を含む石膏歯列模型と対合する石膏歯列模型との咬合が最良状態となるように、治療歯部位における修正、加工を適宜に繰り返し行う方法が一般に採用されている。
【０００４】
ここで、上述のような咬合調整に用いる従来の咬合器では、下顎側の石膏歯列模型を装着する下顎フレームの後部に一対の支柱を離間対向状に立設し、かつ当該支柱間に軸支した上顎フレーム自体に軟状態を有する固定用石膏を填着して、上顎側の石膏歯列模型をこの固定用石膏に嵌着することにより、硬化した固定用石膏を介して上顎側の石膏歯列模型が上顎フレームに固定される構成であるため、治療歯部位における修正、加工が完了して石膏歯列模型を取り外す際には、ハンマーで上顎フレームとの固定部分を打ち砕く、という作業者に対しての負担を強いる煩わしい作業を伴い、精密機器である咬合器の精度を著しく低下させてしまうばかりでなく、ハンマーによる機械的な衝撃で石膏歯列模型の破損を誘発し易いものであった。
【０００５】
そこで近年では、上顎側の石膏歯列模型を上顎フレームに直接固定せずに、該上顎フレームに着脱自在に装着した取付けベースに石膏歯列模型を固定する構成が提案されているが、このものでは上顎フレームに対する石膏歯列模型の取付け、取外しは容易となるものの、取付けベースと石膏歯列模型との固定部分に対しては依然として機械的な衝撃力を与えないと取外しを行うことができず、根本的な解決とはなっていないのが現状であった。
【０００６】
【本発明が解決しようとする課題】
本発明は、上記の如き実状に鑑み咬合器の機能および作業性の向上を目指すその研究、開発過程で創案されたものであって、その目的とするところは、簡単かつ単純な構成でありながら、取付けベースに固定用石膏を介して取付けた石膏歯列模型を機械的な衝撃を与えることなく容易に取り外すことができ、固定した石膏歯列模型の破損、損壊を未然に防止しつつ、作業者の負担を最小限に抑えて作業効率の向上と高い精度を維持することができる咬合器における石膏歯列模型の取付けベースを提供しようとするものである。
【０００７】
【課題を解決するための手段】
課題を解決するため、本発明が採用した技術的手段は、下顎側の石膏歯列模型を装着する下顎フレームの後部に一対の支柱を離間対向状に立設し、かつ上顎側の石膏歯列模型を着脱自在な取付けベースを介して装着する上顎フレームを各支柱間に上下回動可能に軸支してなる咬合器において、上記取付けベースの取付け面から下方に突出する複数の螺子を、取付けベース内に介装した取付けナットを介して装脱自在に内装し、該螺子の突出部分を含めて上記取付け面と石膏歯列模型との間に固定用石膏を充填すると共に、上記取付けナットを介した各螺子の固定用石膏内からの螺退で、石膏歯列模型を固定用石膏とともに取付けベースから離脱するように構成したことを特徴とするものである。
【０００８】
【発明の実施の形態】
本発明を図面に示した一実施例に基づいて詳細に説明する。図１および図２において、１は上下の石膏歯列模型２、３を着脱自在に装着する咬合器であって、該咬合器１は、下石膏歯列模型３の支持台として兼用される下顎フレーム４に一対の支柱５、６を離間対向状に立設し、かつ後方に延出する連結フレーム７を当該支柱５、６間に一体に跨設すると共に、上記各支柱５、６の頂部近傍の側面部位には凹溝８がそれぞれ設けられており、上顎フレーム９の後端側を軸支する回動軸１０を凹溝８、８に嵌入させて当該上顎フレーム９を上下回動自在とする咬合器１が構成されている。
【０００９】
上記連結フレーム７と各支柱５、６の背面側との間には前傾状の支承面７ａ、７ａが斜設されており、凹溝８、８に嵌入した上顎フレーム９の回動軸１０を当該支承面７ａに沿って後方に移動可能とし、かつ板バネ１１ａ、１１ａからなる弾持部材１１、１１の付勢力により、回動軸１０を凹溝８、８内の基準定位置に押圧付勢するようになっている。
【００１０】
また上記上顎フレーム９の下面には、円形状の嵌合部９ａに取付けベース１２が摘みネジ１３で着脱自在に螺装されており、該取付けベース１２の下面に固定用石膏１４を介して石膏歯列模型２を固定し、上顎フレーム９の上下回動とともに石膏歯列模型２を上下動させるように構成されている。
【００１１】
なお１５は上顎フレーム９の回動先端側を下顎フレーム４との間で支持するインサイザルガイドピン、１５ａは下顎フレーム４の先端に設けたインサイザルガイドピン１５の弾性受け板、１６は連結フレーム７の中央に螺設されて上顎フレーム９の下限位置を調整する調整ノブである。また１７、１７は上顎フレーム９の下面に形成した嵌合部９ａ内で下方に突出するボスであって、取付けベース１２を上顎フレーム９に取付ける際の位置決めを行うものである。
【００１２】
上記取付けベース１２は、図３（ａ）（ｂ）に示すように、中心位置に前記摘みネジ１３の挿入孔１８が穿設され、その底部には固定ナット１９が同軸状に埋設されていると共に、上記挿入孔１８から三方に離間する位置には、ボルト孔２０とこれより小径の挿入孔２１が同軸状にそれぞれ貫通され、更に各挿入孔２１の中途部には取付けナット２２が介装されており、同図（ｃ）に示すように、予め３本の固定ボルト２３をそれぞれのボルト孔２０から挿入孔２１および取付けナット２２を経て取付けベース１２の取付け面１２ａから下方に突出させておき、この状態で取付けベース１２本体を摘みネジ１３と挿入孔１８内の固定ナット１８との螺着で上顎フレーム９に着脱自在に固定する構成となっている。２４ａ、２４ｂは上顎フレーム９に形成した嵌合部９ａのボス１７、１７に係合するガイド孔である。
【００１３】
本発明は叙上の如く構成されているから、石膏歯列模型を用いた治療歯部位の加工、成形を行うに当って、まず下顎側の石膏歯列模型３を下顎フレーム４上に固定した後、３本の固定ボルト２３を予め下面から下方に突出させた取付けベース１２を上顎フレーム９に摘みネジ１３を介して固定する（図３（ｃ））。
【００１４】
次いで図４（ａ）に示すように、先に形成しておいた上顎側の石膏歯列模型２を軟状態を有する固定用石膏１４を介して取付けベース１２の取付け面１２ａに貼着すると、各固定ボルト２３の突出部分を含めて固定用石膏１４が取付け面１２ａと石膏歯列模型２との間に充填されることになる。
【００１５】
そして上記固定用石膏１４が所定の硬化状態に達した時点で、現状の上下石膏歯列模型２、３の咬合状態を確認し、その後に治療歯部位の石膏歯列部分に所要の切断、加工や修復物の被冠、義歯の形成等を施し、再度これを装着した治療歯部位を含む石膏歯列模型と対合する石膏歯列模型との咬合が最良状態となるように、治療歯部位における修正、加工を咬合器１を用いて適宜に繰り返し行なわれることになる。
【００１６】
然る後に、上記咬合器１による咬合調整が完了して上顎側の石膏歯列模型２を咬合器１から取り外す場合には、作業者が上顎フレーム９の摘みネジ１３を緩めることにより、まず取付けベース１２を含む石膏歯列模型２を上顎フレーム９から離脱させ、更に図４（ｂ）に示すように、取付けベース１２の上面から各固定ボルト２３を固定用石膏１４内から螺退させると、取付けベース１２と固定用石膏１４との固定は取付け面１２ａに対する面着のみとなり、この状態で取付けベース１２の側面を軽く叩くか、あるいは固定用石膏１４に対して取付けベース１２を軸方向に回転させることにより、容易かつ簡単に両部材を分離することができる。
【００１７】
したがって、石膏歯列模型２の装脱作業に際して煩わしいハンマーによる機械的衝撃を与えることがないので、石膏歯列模型の破損、損壊あるいは咬合器１の精度低下等を誘発することなく、咬合器１を用いた歯冠修復物、義歯の加工形成を効率良くかつスムーズに行うことができる。
【００１８】
【発明の効果】
これを要するに本発明は、下顎側の石膏歯列模型を装着する下顎フレームの後部に一対の支柱を離間対向状に立設し、かつ上顎側の石膏歯列模型を着脱自在な取付けベースを介して装着する上顎フレームを各支柱間に上下回動可能に軸支してなる咬合器において、上記取付けベースの取付け面から下方に突出する複数の螺子を、取付けベース内に介装した取付けナットを介して装脱自在に内装し、該螺子の突出部分を含めて上記取付け面と石膏歯列模型との間に固定用石膏を充填すると共に、上記取付けナットを介した各螺子の固定用石膏内からの螺退で、石膏歯列模型を固定用石膏とともに取付けベースから離脱するように構成したから、簡単かつ単純な構成でありながら、取付けベースに固定用石膏を介して取付けた石膏歯列模型を機械的な衝撃を与えることなく容易に取り外すことができると共に、患者毎に治療内容の異なる石膏歯列模型を同一の咬合器を用いて効率良く使うことができ、固定した石膏歯列模型の破損、損壊を未然に防止しつつ、作業者の負担を最小限に抑えて作業効率の向上と高い精度を維持することができる、という極めて有用な新規的効果を奏するものである。
【図面の簡単な説明】
【図１】（ａ）は咬合器の全体側面図である。（ｂ）は同上平面図である。
【図２】（ａ）は支柱を含む下顎フレームの側面図である。（ｂ）は同上平面図である。
【図３】（ａ）は取付けベースの拡大平面図である。（ｂ）は同上断面図である。（ｃ）取付けベースと上顎フレームとの固定状態を示す一部断面側面図である。
【図４】（ａ）は固定用石膏を介して上顎フレームに石膏歯列模型を固定した状態を示す要部作用説明図である。（ｂ）は固定ボルトを取外した状態の上顎フレームと石膏歯列模型との固定を示す要部作用説明図である。
【符号の説明】
１ 咬合器
２ 上石膏歯列模型
３ 下石膏歯列模型
４ 下顎フレーム
５ 支柱
６ 支柱
９ 上顎フレーム
１２ 取付けベース
１２ａ 取付け面
１４ 固定用石膏
２３ 固定ボルト（螺子）
【図１】
0003874527.tif 000002
【図２】
0003874527.tif 000003
【図３】
0003874527.tif 000004
【図４】
0003874527.tif 000005